(57)【要約】【課題】  既存の車椅子のフットレストに着脱自在に簡単に取り付けることができ、利用者の体勢に負担をかけることなく、かつ、足を安定配置して走行時の安全性を向上させることができる車椅子のフットレストアタッチメントを提供すること。【解決手段】  車椅子の足元に配設され、両側方から内側に向けて展開される折り畳み式の左右一対のフットレストＲ・Ｒに取り付け可能なアタッチメント式の板状補助用具であって、平板状の足乗せ板体１の裏面には、スペーサ21を介して押え板22が固定した差込ソケット２が形成されており、当該差込ソケット２の両差入れ口23・23に前記フットレストＲ・Ｒを前方からそれぞれ差し入れるとともに、当該フットレストＲのテーパ型先端部が前記差込ソケット２の差入れ口23縁部に楔着可能であり、前記フットレストＲ・Ｒに着脱自在に取り付けることができるように構成するという技術的手段を採用した。【選択図】  図１
0003108242.tif 000002
【実用新案登録請求の範囲】
【請求項１】
車椅子の足元に配設され、両側方から内側に向けて展開される折り畳み式の左右一対のフットレストＲ・Ｒに取り付け可能なアタッチメント式の板状補助用具であって、
平板状の足乗せ板体１の裏面には、スペーサ21を介して押え板22が固定した差込ソケット２が形成されており、当該差込ソケット２の両差入れ口23・23に前記フットレストＲ・Ｒを前方からそれぞれ差し入れるとともに、当該フットレストＲのテーパ型先端部が前記差込ソケット２の差入れ口23縁部に楔着可能であり、前記フットレストＲ・Ｒに着脱自在に取り付けることができるように構成したことを特徴とする車椅子のフットレストアタッチメント。
【請求項２】
差込ソケット２の差入れ口23前方縁部に掛止突起23ａが形成されていることを特徴とする請求項１記載の車椅子のフットレストアタッチメント。
【請求項３】
差込ソケット２の差入れ口23前方縁部に形成した掛止突起23ａの断面形状が略半円形のリブであることを特徴とする請求項２記載の車椅子のフットレストアタッチメント。
【請求項４】
足乗せ板体１の少なくとも上面が低反発性発泡樹脂で被覆されていることを特徴とする請求項１〜３の何れか一つに記載の車椅子のフットレストアタッチメント。
【請求項５】
差込ソケット２のスペーサ21がＴ字型部材であって、腕部21ａ・21ａがフットレストＲ・Ｒの位置決めストッパとなることを特徴とする請求項１〜４の何れか一つに記載の車椅子のフットレストアタッチメント。
【考案の詳細な説明】
【技術分野】
【０００１】
本考案は、介助支援用具の改良、更に詳しくは、既存の車椅子のフットレストに着脱自在に簡単に取り付けることができ、利用者の体勢に負担をかけることなく、かつ、足を安定配置して走行時の安全性を向上させることができる車椅子のフットレストアタッチメントに関するものである。
【背景技術】
【０００２】
周知のとおり、身体（特に下肢）が不自由である者（以下、単に「利用者」という。）が移動する際には車椅子が用いられており、かかる車椅子の足元には、通常、「フットレスト」と呼ばれる足を乗せるための折り畳み式の補助台が設置されている。
【０００３】
ところで、かかるフットレストにあっては、足を支障なく屈曲できる者が座る場合にあっては有効であるけれども、足が硬直化していたり、麻痺しているなどの症状を有する利用者にあっては、既存のフットレストの取付位置では、足がフットレストの前方や後方にはみ出したり、ズリ落ちたりして確実・安定に乗せることができない。
【０００４】
そこで、従来、利用者の足をフットレストに固定してしまうものが開示されている（特許文献１参照）。しかしながら、利用者にとって無理な体勢になることがあり、痛みを伴って負担を強いてしまい、甚だ不都合である。
【０００５】
かと言って、利用者に無理がないような楽な姿勢を保持しつつ移動すると、不可避的に足を投げ出したままになったり、あるいは、内側に屈曲させたままになってしまい、誤ってフットレストの隙間に足を挟むこともあり、また、そのまま走行してしまうと怪我を負ってしまう危険性があった。
【特許文献１】実用新案登録第３０８６１２５号公報  （第６−７頁、図１−５）
【考案の開示】
【考案が解決しようとする課題】
【０００６】
本考案は、従来の車椅子において上記のような問題があったことに鑑みて為されたものであり、その目的とするところは、既存の車椅子のフットレストに着脱自在に簡単に取り付けることができ、利用者の体勢に負担をかけることなく、かつ、足を安定配置して走行時の安全性を向上させることができる車椅子のフットレストアタッチメントを提供することにある。
【課題を解決するための手段】
【０００７】
本考案者が上記課題を解決するために採用した手段を添付図面を参照して説明すれば次のとおりである。
【０００８】
即ち、本考案は、車椅子の足元に配設され、両側方から内側に向けて展開される折り畳み式の左右一対のフットレストＲ・Ｒに取り付け可能なアタッチメント式の板状補助用具であって、
平板状の足乗せ板体１の裏面には、スペーサ21を介して押え板22が固定した差込ソケット２が形成されており、当該差込ソケット２の両差入れ口23・23に前記フットレストＲ・Ｒを前方からそれぞれ差し入れるとともに、当該フットレストＲのテーパ型先端部が前記差込ソケット２の差入れ口23縁部に楔着可能であり、前記フットレストＲ・Ｒに着脱自在に取り付けることができるように構成するという技術的手段を採用した。
【０００９】
また、本考案は、上記課題を解決するために、必要に応じて上記手段に加え、差込ソケット２の差入れ口23前方縁部に掛止突起23ａを形成するという技術的手段を採用することができる。
【００１０】
更にまた、本考案は、上記課題を解決するために、必要に応じて上記手段に加え、差込ソケット２の差入れ口23前方縁部に形成した掛止突起23ａの断面形状を略半円形のリブにするという技術的手段を採用することができる。
【００１１】
更にまた、本考案は、上記課題を解決するために、必要に応じて上記手段に加え、足乗せ板体１の少なくとも上面を低反発性発泡樹脂で被覆するという技術的手段を採用することができる。
【００１２】
更にまた、本考案は、上記課題を解決するために、必要に応じて上記手段に加え、差込ソケット２のスペーサ21をＴ字型部材にして、腕部21ａ・21ａをフットレストＲ・Ｒの位置決めストッパにするという技術的手段を採用することができる。
【考案の効果】
【００１３】
本考案にあっては、平板状の足乗せ板体の裏面には、スペーサを介して押え板を固定した差込ソケットを形成し、当該差込ソケットの両差入れ口に前記フットレストを前方からそれぞれ差し入れるとともに、当該フットレストのテーパ型先端部を前記差込ソケットの差入れ口縁部に楔着することによって、既存の車椅子のフットレストに着脱自在に取り付けることができる。
【００１４】
したがって、本考案のアタッチメントに足を安定的に乗せることにより、利用者の体勢に負担をかけることなく、かつ、走行時の安全性を向上させることができることから、介助支援用具における利用価値は頗る高いものがある。
【考案を実施するための最良の形態】
【００１５】
本考案の実施形態を具体的に図示した図面に基いて更に詳細に説明すると次のとおりである。
【００１６】
本考案の実施形態を図１から図４に基いて説明する。図中、符号１で指示するものは足乗せ板体であり、この足乗せ板体１は、平板状の部材であって、本実施形態では、木製の合板を採用する。
【００１７】
また、符号２で指示するものは差込ソケットであり、この差込ソケット２は、前記足乗せ板体１の裏面に、スペーサ21を介して押え板22を固定して形成されている。
【００１８】
しかして、本実施形態におけるアタッチメントは、車椅子の足元に配設され、両側方から内側に向けて展開される折り畳み式の左右一対のフットレストＲ・Ｒに取り付け可能なアタッチメント式の板状の補助用具である（図１参照）。
【００１９】
本実施形態におけるアタッチメントを構成するにあっては、まず、平板状の足乗せ板体１の裏面には、スペーサ21を介して押え板22を固定した差込ソケット２を形成する。
【００２０】
この際、差込ソケット２のスペーサ21をＴ字型部材にすることにより、この腕部21ａ・21ａがフットレストＲ・Ｒが奥まで入り過ぎるのを防止して、位置決めストッパとしての機能を具備することができる（図２参照）。
【００２１】
次いで、当該差込ソケット２の両差入れ口23・23に前記フットレストＲ・Ｒを前方からそれぞれ差し入れるとともに、当該フットレストＲのテーパ型先端部が前記差込ソケット２の差入れ口23縁部に楔着せしめる。（図３参照）。このように構成したことにより、前記フットレストＲ・Ｒに着脱自在に取り付けることができるのである。
【００２２】
本実施形態では、差込ソケット２の差入れ口23縁部に掛止突起23ａを形成することができ、更に、この掛止突起23ａの断面形状を略半円形のリブにすることができる（図４参照）。なお、図示しないが、この掛止突起23ａは、半球状の突起を並列したものであっても良い。
【００２３】
また、本実施形態では、足乗せ板体１を低反発性発泡樹脂で被覆することができ、この樹脂材料には、例えば、ウレタンフォームを採用することにより、柔らかな肌触りと、緩衝効果を得ることができる。
【００２４】
本考案は概ね上記のように構成されるが、本考案は図示の実施例に限定されるものでは決してなく、「実用新案登録請求の範囲」の記載内において種々の変更が可能であって、例えば、足乗せ板体１の使用材料は、木製の合板に限らず、プラスチック材料を採用することも可能であるし、また、差込ソケット２の差入れ口23の形状は、フットレストＲに適合するものであれば、形状を適宜変更することができ、何れのものも本考案の技術的範囲に属する。
【図面の簡単な説明】
【００２５】
【図１】本考案の実施形態品を表わす全体斜視図である。
【図２】本考案の実施形態品の構造を表わす分解斜視図である。
【図３】本考案の実施形態品の使用状態を表わす説明正面図である。
【図４】本考案の実施形態品の使用方法を表わす斜視図である。
【図５】本考案の実施形態品の使用状態を表わす全体斜視図である。
【符号の説明】
【００２６】
１    足乗せ板体
２    差込ソケット
21    スペーサ
22    押え板
23    差入れ口
23ａ  掛止突起
Ｒ    フットレスト
【図１】
0003108242.tif 000003
【図２】
0003108242.tif 000004
【図３】
0003108242.tif 000005
【図４】
0003108242.tif 000006
【図５】
0003108242.tif 000007